(57)【要約】      （修正有）【課題】引き出したスライドステップのロックと解除が人の動作に合わせて自然に行なわれるスライドステップ付きキャビネットを提供する。【解決手段】スライドステップ付きキャビネットの下部のキャビネットの格納部３３にスライドステップ３４が格納される。スライドステップ３４の底部３４ｄの下方に両側面３４ｂの内側に沿ってスプリング３６を介するキャスター３７が保持枠３８によって上下スライド可能に設けられる。自然状態では、スライドステップ３４はスプリング３６の力によって床面４０から持上げられ、スライドステップ３４の両側面３４ｂの後方には一対のローラー４３が設けられる。格納部３３の両側面３３ｂにスライドレール４４が設けられ、このスライドレール４４に沿ってローラー４３が滑走する。スライドレール４４は前面側において凹部を備え、この凹部から格納部３３の後面３３ｃ側まで連続的に低くなる。【選択図】図２
2008136614.tif 000002
【特許請求の範囲】
【請求項１】
キャビネットの格納部に外観が略直方体形状のスライドステップが出し入れ自在に格納されるスライドステップ付きキャビネットであって、
前記スライドステップはスプリングを介するキャスターで床面に保持されるとともに、前記格納部の一対の側面に設けられるスライドレールに沿って滑走する一対のローラーを備え、
前記レールは前記格納部の前面側に凹部を備え、この凹部から前記格納部の後面側に至って高さが連続的に低くなるように形成され、
前記凹部は、前記スライドステップを引き出して前記スライドステップに人が乗ると前記スプリングを介して前記ローラーが下降して係止される凹部であることを特徴とするスライドステップ付きキャビネット。
【請求項２】
請求項１に記載のスライドステップ付きキャビネットであって、前記レールは前記凹部の前面側に前記ローラーを静止させる凸部を備えることを特徴とするスライドステップ付きキャビネット。
【請求項３】
請求項１又は請求項２に記載のスライドステップ付きキャビネットであって、前記レールは前記格納部の後面側に前記ローラーが乗越えて静止される第二の凸部を備えることを特徴とするスライドステップ付きキャビネット。
【発明の詳細な説明】
【技術分野】
【０００１】
本発明は、スライドステップ付きキャビネットに関し、スライドステップの使用時にスライドステップをキャビネットから容易に引き出して固定することができる技術に関する。
【背景技術】
【０００２】
従来、スライドステップが格納されたキャビネットからスライドステップを引き出す構成として特許文献１の内容が知られている。特許文献１によれば、図１０（ａ）に示すように、スライドステップ１はシステムキッチンのキャビネット２の下部の格納部３から引出し可能に、固定レール１２に収納された中間レール１３と支持レール１４で支持される。
【０００３】
スライドステップ１は、前面パネル７と後面パネル１０間に収納部を備え、上面に踏み板６が開閉自在に連結される。底面パネル１１に複数のキャスター５が取付けられる。
【０００４】
キャビネット２の高い位置に収納された食器を取り出すような場合、格納部３から引出されたスライドステップ１の状態をロック機構で保持して踏み板６を利用することができる。
【０００５】
図１０（ｂ）に示すように、ロック機構は支持レール１４の後端に固定される弾性を有する金属板等からなるロック用プレート２０と、中間レール１３の前端に形成される係合突起２１を有し、ロック用プレート２０には、係合開口２２を形成する。
【０００６】
支持レール１４が中間レール１３から引出されると、支持レール１４に固定したロック用プレート２０の係合開口２２が中間レール１３の係合突起２１と係合しロックされる。
【０００７】
図１０（ｃ）に示すように、支持レール１４にスライド自在に取付けられたロック解除プレート２４を備え、ロック解除プレート２４は図示しないスプリングにより支持レール１４の前面パネル７側に突出するように付勢されている。
【０００８】
このため、図示しない作用部によってロック解除プレート２４を押すことにより、ロック用プレート２０の係合開口２２と係合突起２１の係合が解除されて、支持レール１４と中間レール１３とのロックが解除できる。
【特許文献１】特開２００４−２９８４３３号公報
【発明の開示】
【発明が解決しようとする課題】
【０００９】
ところが、上記、スライドステップ１では、ロックを解除するためにロック解除プレート２４を押す動作が必要があるので操作に手間が掛かるという問題があった。
【００１０】
そこで、本発明は引き出したスライドステップに人が乗り降りする動作によって、スライドステップのロックと解除が自然に行なわれるスライドステップ付きキャビネットを提供することを目的とする。
【課題を解決するための手段】
【００１１】
請求項１の発明は、キャビネットの格納部に外観が略直方体形状のスライドステップが出し入れ自在に格納されるスライドステップ付きキャビネットであって、前記スライドステップはスプリングを介するキャスターで床面に保持されるとともに、前記格納部の一対の側面に設けられるスライドレールに沿って滑走する一対のローラーを備え、前記レールは前記格納部の前面側に凹部を備え、この凹部から前記格納部の後面側に至って高さが連続的に低くなるように形成され、前記凹部は、前記スライドステップを引き出して前記スライドステップに人が乗ると前記スプリングを介して前記ローラーが下降して係止される凹部であることを特徴としている。
【００１２】
請求項２の発明は、請求項１に記載のスライドステップ付きキャビネットであって、前記レールは前記凹部の前面側に前記ローラーを静止させる凸部を備えることを特徴としている。
【００１３】
請求項３の発明は、請求項１又は請求項２に記載のスライドステップ付きキャビネットであって、前記レールは前記格納部の後面側に前記ローラーが乗越えて静止される第二の凸部を備えることを特徴としている。
【発明の効果】
【００１４】
請求項１の発明によれば、前記スライドステップはスプリングを介するキャスターで床面に保持され、前記格納部の一対の側面に設けられるスライドレールに沿って滑走する一対のローラーを備え、前記レールは前記格納部の前面側に凹部を備え、この凹部から前記格納部の後面側に至って高さが連続的に低くなるように形成される。
【００１５】
このため、前記スライドステップを引き出して前記スライドステップに人が乗ると、人の自重により前記スプリングが縮んで前記ローラーが下降し凹部内に自然に係止することができる。そして、前記スプリングが縮むことでキャスターは上昇して前記略直方体形状のスライドステップ内に収納され、前記スライドステップ自身が床面に保持されるので、前記スライドステップを安定して使用することができる。
【００１６】
また、人が下りると前記スプリングが伸びて前記ローラーが上昇して前記ローラーは凹部から自然に離脱するので係止状態が解除できる。
【００１７】
このように、スライドステップのロックと解除が人の動作に合わせて自然に行なわれるので、省力的で安価、且つ安全で確実なロック機構が得られる。
【００１８】
請求項２の発明によれば、前記レールは前記凹部の前面側に前記ローラーを静止させる凸部を備えるので、前記スライドステップのローラーを引き出した際に凸部に当接するだけでローラーが自然に凹部の位置で停止できるので位置決めが簡単にできる。
【００１９】
請求項３の発明によれば、前記レールは前記格納部の後面側に前記ローラーが乗越えて静止される第二の凸部を備えるので、前記スライドステップをキャビネットの格納部に格納した状態で、ローラーは第二の凸部を乗り越えて第二の凸部に安定して保持できる。
【発明を実施するための最良の形態】
【００２０】
以下に、本発明の実施形態を図１〜図９に基づいて説明する。
＜スライドステップ付きキャビネットの構成＞
【００２１】
図１、図２、図３に示すように、本発明の実施形態におけるスライドステップ付きキャビネット３０は上部に洗面設備３１を備え、下部のキャビネット３２の格納部３３に外観が略直方体形状のスライドステップ３４が出し入れ自在に格納される。いま、格納部３３は水平視で両側面３３ｂと後面３３ｃから成るコ字状である。
【００２２】
スライドステップ３４は前面３４ａと両側面３４ｂから成るコ字状の枠組みに、両側面３４ｂにおける前面３４ａから略２／３の位置で後面３４ｃが形成される。そして、前面３４ａに沿って設けられる別の前面３５ａと両側面３４ｂと後面３４ｃとで囲まれた領域の下部には底部３４ｄが設けられて収納部３５として使用される。
【００２３】
底部３４ｄの下方に四組のスプリング３６を介するキャスター３７が保持枠３８によって上下スライド可能に設けられ、自然状態では、スライドステップ３４はスプリング３６の力によって床面４０から隙間Ｑで持上げられている。
【００２４】
収納部３５の上部には人が乗るための踏み板４１を備える。そしてスライドステップ３４を格納部３３から引き出した後に、踏み板４１を後方から前方に持ち上げることにより開放して内部を利用することができる。
【００２５】
なお、スライドステップ３４の前面３４ａはキャビネット３２の前面３３ａより後方にずれて設けられ、前面３４ａには出し入れ用の取っ手４２が前面３３ａと面一に突設される。前面３４ａと取っ手４２と前面３３ａは統一性を持たせるために同じ表面化粧材が用いられる。
【００２６】
ここで、スライドステップ３４の両側面３４ｂの後方部には両側面３４ｂの外側に突出して一対のローラー４３が回転自在に設けられる。そして、格納部３３の両側面３３ｂの内側にスライドレール４４を備えるスライドレール本体４５が取付けられ、このスライドレール４４に沿ってローラー４３が滑走する。
【００２７】
図４（ａ）、（ｂ）、図５、図６に示すように、スライドレール本体４５は長さＬ＝４００ｍｍで、断面形状が底辺４５ｂの幅Ｗ＝２２ｍｍ、側壁４５ｃの高さＨ＝４５ｍｍから成る略三角形状で、斜辺４５ｄは階段状で中間に底辺４５ｂに平行な二段の水平部４５ａと４５ｅが形成される。
【００２８】
そして、上段の水平部４５ａは幅Ｗ１＝１０ｍｍで底辺の略中央部に対応する領域に形成され、この水平部４５ａがスライドレール４４である。スライドレール４４の上部側の壁４５ｆの上端部はスライドレール４４側に傾斜する斜面４４ｇが設けられる。
【００２９】
スライドレール４４は前面側において凹部４６を備え、この凹部４６の後縁である位置Ｐ１から後面側の位置Ｐ２までの水平距離Ｌ１＝３００ｍｍの領域で高さがＨ１＝３０ｍｍからＨ２＝１８ｍｍまで連続的に低くなるように形成される。
【００３０】
凹部４６は幅Ｌ２＝２４ｍｍ、深さＨ２＝２０ｍｍのＵ字形で、凹部４６の前面側にローラー４３を静止させる第一の凸部４７が高さＨ３＝３５ｍｍでスライドレール本体４５の先端部から幅Ｌ３＝１５ｍｍで備える。
【００３１】
さらに、位置Ｐ２から連続してローラー４３が乗越えて静止するための第二の凸部４８が設けられ、凸部４８は高さＨ４＝２２ｍｍでスライドレール本体４５の後端部からＬ＝３０ｍｍの位置である。
【００３２】
スライドレール本体４５はネジ等の固定具４９によって格納部３３の両側面３３ｂに固定される。このとき固定具の頭がスライドレール本体４５から突出しないように下段の水平部４５ｅの幅が形成される。突起５０は位置合わせの目的で形成され側面３３ｂに形成された図示しない孔に挿入される。
＜スライドステップ付きキャビネットの作用＞
【００３３】
図７に示すように、上記、スライドステップ３４はスプリング３６を介するキャスター３７で床面４０に保持されるとともに、スライドステップ３４のローラー４３がスライドレール４４に沿って格納部３３から引き出される。
【００３４】
そして、ローラー４３は第一の凸部４７によって格納部３３からの飛び出しが防止されるとともに、凹部４６に容易に誘導されて挿入する。凹部４６におけるローラー４３の軸中心はスライドレールの位置Ｐ1の高さに略等しい位置となる。この状態で、踏み板４１を持上げると、スライドステップ３４の内容物の取り出しができる。
【００３５】
図８に示すように、スライドステップ３４の踏み板４１に人が乗ると、スプリング３６が収縮するのでキャスター３７が床面４０に接触する状態を保ちながら保持枠３８内に収納され、人の自重はスライドステップ３４の前面３４ａ、両側面３４ｂ、後面３４ｃによって床面４０に保持される。
【００３６】
このとき、ローラー４３は下降して凹部４６内に係止されるのでスライドステップ３４は移動することがないので、人は安定してスライドステップ３４を用いることができる。
【００３７】
図９に示すように、スライドステップ３４を格納部３３から取り外す場合には、スライドステップ３４の後端部を持ち上げることにより、ローラー４３が第一の凸部４７を乗り越えるので容易に取り外すことができる。
【００３８】
以上、本発明の実施例を図面に基づいて説明したが、具体的な構成はこの実施例に限られるものではなく本発明の要旨を逸脱しない範囲の設計変更等があっても本発明に含まれる。
【００３９】
たとえば、スライドステップ付きキャビネットは、一般家具、キッチン等の各種のキャビネットに設けられる格納部に適用することができる。
【００４０】
位置合わせに支障がない場合には突起５０は省略しても構わない。
【００４１】
スライドステップ３４の前面３４ａ、両側面３４ｂ、後面３４ｃの下部裏面に滑り防止パッキンを取付けると、スライドステップ３４がさらに安定して床面４０に接触するので踏み板４１に人がより安定して乗ることができる。
【図面の簡単な説明】
【００４２】
【図１】本発明の実施形態における、スライドステップ付きキャビネットの斜視図である。
【図２】本発明の実施形態における、図１のＡ−Ａ一部透視側面図である。
【図３】本発明の実施形態における、図２のＢ−Ｂ断面図である。
【図４】本発明の実施形態における、（ａ）はスライドレール本体４５の側面図、（ｂ）は図４（ａ）におけるＣ−Ｃ矢視図である。
【図５】本発明の実施形態の、図４（ａ）におけるＤ−Ｄ断面図である。
【図６】本発明の実施形態の、図４（ａ）におけるＥ−Ｅ断面図である。
【図７】本発明の実施形態における、スライドステップ３４を格納部３３から引き出した状態を示す一部透視側面図である。
【図８】本発明の実施形態における、スライドステップ３４を格納部３３から引き出した状態で人がスライドステップ３４に乗った状態を示す一部透視側面図である。
【図９】本発明の実施形態における、スライドステップ３４を格納部３３から取り外す状態を示す一部透視側面図である。
【図１０】従来のスライドステップ１が格納されたキャビネットの、（ａ）は側面図、（ｂ）は図１０（ａ）におけるＦ−Ｆ断面図で支持レール１４が中間レール１３にロックされた状態、（ｃ）はロック解除プレート２４によって支持レール１４が中間レール１３からロック解除される状態である。
【符号の説明】
【００４３】
３０  スライドステップ付きキャビネット
３２  キャビネット
３３  格納部
３３ｂ  側面
３３ｃ  後面
３４  スライドステップ
３４ｂ  側面
３４ｄ  底部
３６  スプリング
３７  キャスター
３８  保持枠
４０  床面
４３  ローラー
４４  スライドレール
４６  凹部
【図１】
2008136614.tif 000003
【図２】
2008136614.tif 000004
【図３】
2008136614.tif 000005
【図４】
2008136614.tif 000006
【図５】
2008136614.tif 000007
【図６】
2008136614.tif 000008
【図７】
2008136614.tif 000009
【図８】
2008136614.tif 000010
【図９】
2008136614.tif 000011
【図１０】
2008136614.tif 000012